(57)【要約】【課題】表示画面が小さくても設備の状態の確認が容易に行えること【解決手段】監視対象たる設備Ｐの複数の監視項目の状態情報を収集するサーバ２０と、このサーバ２０から通信回線３０を介して収集した前記状態情報に基づき前記設備Ｐが正常に稼動しているか否かを表示する携帯端末６０とを有する監視システム１を構築する。そして、この携帯端末６０に、前記サーバ２０に対して前記状態情報の送信を要求する情報収集機能６１ａと、受信した状態情報に応じた前記各監視項目の状態を一画面上に表示する画面表示機能６１ｄとを備えた制御部６１を設けること。【選択図】        図１
2004287676.tif 000002
【特許請求の範囲】
【請求項１】
監視対象たる設備の複数の監視項目の状態情報を収集するサーバと、該サーバから通信回線を介して収集した前記状態情報に基づき前記設備が正常に稼動しているか否かを表示する携帯端末とを有し、
この携帯端末に、前記サーバに対して前記状態情報の送信を要求する情報収集機能と、受信した状態情報に応じた前記各監視項目の状態を一画面上に表示する画面表示機能とを備えた制御部を設けることを特徴とした携帯端末を用いた監視システム。
【請求項２】
前記画面表示機能は、前記各監視項目の状態をマトリックス形式で一画面上に表示する機能であることを特徴とした請求項１記載の携帯端末を用いた監視システム。
【請求項３】
前記情報収集機能は、前記状態情報の送信要求を所定の周期で行うことを特徴とした請求項１又は２に記載の携帯端末を用いた監視システム。
【請求項４】
前記携帯端末の制御部に、異常を示す前記監視項目を点滅表示させる機能が新たに設けられたことを特徴とする請求項１，２又は３に記載の携帯端末を用いた監視システム。
【請求項５】
前記携帯端末の制御部に、画面上に表示された監視項目の故障発生履歴を表示する機能を新たに設けることを特徴とした請求項１，２，３又は４に記載の携帯端末を用いた監視システム。
【発明の詳細な説明】
【０００１】
【発明の属する技術分野】
本発明は、携帯電話機等の携帯端末を用いた監視システムに係り、特に例えば工場等における電気設備や機械設備等の監視対象たる設備の状態を監視するのに好適な携帯端末を用いた監視システムに関する。
【０００２】
【従来の技術】
従来、工場等における設備の異常を携帯電話機等の携帯端末を用いて遠隔で監視するシステム、例えば特開２００２−１１１８９２号公報に開示された監視システムがある。この特開２００２−１１１８９２号公報に開示された監視システムは、監視対象の設備に異常が生じた場合に、所定の携帯電話機に対して異常情報等の音声メッセージを送信し、その携帯電話機を携行する管理者に音声で異常を知らせるものである。また、その他の態様の監視システムとしては、携帯電話機等の携帯端末に対して設備の異常情報等のメッセージを電子メールで送信して知らせるものもある。
【０００３】
【特許文献１】
特開２００２−１１１８９２号公報
【０００４】
【発明が解決しようとする課題】
しかしながら、上述した如き従来の監視システムは音声や文字（電子メール）によるメッセージで通報するものであることから、例えば同時に複数箇所で異常が生じた場合、夫々異常箇所のメッセージが一度に又は順を追って送られてくるので、その設備の状況や異常箇所の確認に手間取る等、利便性に欠ける、という不都合があった。特に携帯電話機等の表示部の小さい携帯端末においては、複数の異常箇所に関する夫々の情報をその都度別画面に移動しなければ知ることができないので、かかる不都合がより顕著に現れてしまう。
【０００５】
また、設備の異常の中には刻々とその状況が変化するものもあり、例えば監視装置等で異常を察知した時とその異常が管理者に通報された時または管理者がメッセージを見聞きした時とでは設備の状態が異なる場合もある。かかる場合、従来の監視システムでは異常発生直後の設備の状態しか知り得ず、迅速なる対応を取らざるを得ない状況下においては不利不便である。ここで、かかる状況下での利便性を向上させる為には逐次その状況の変化に応じてメッセージを送信させるようにすればよいのであるが、これによれば管理者に対して一方的に多数のメッセージが送られてくることとなり、その中から最新且つ所望の情報を確認するのに手間や時間がかかるので、更に迅速に対応できなくなってしまう、という不都合があった。
【０００６】
そこで、本発明は、かかる従来例の有する不都合を改善し、表示画面の小さな携帯端末であっても設備の状態が容易に確認でき、またその状態の変化等に応じて設備の最新の状態を知り得ることが可能な携帯端末を用いた監視システムを提供することを、その目的とする。
【０００７】
【課題を解決するための手段】
上記目的を達成する為、本発明では、監視対象たる設備の複数の監視項目の状態情報を収集するサーバと、このサーバから通信回線を介して収集した前記状態情報に基づき前記設備が正常に稼動しているか否かを表示する携帯端末とを有する監視システムを構築し、この携帯端末に、前記サーバに対して前記状態情報の送信を要求する情報収集機能と、受信した状態情報に応じた前記各監視項目の状態を一画面上に表示する画面表示機能とを備えた制御部を設けている。例えば、その画面表示機能は、各監視項目の状態をマトリックス形式で一画面上に表示している。
【０００８】
また、上記目的を達成する為、携帯端末の情報収集機能は、状態情報の送信要求を所定の周期で行っている。
【０００９】
【発明の実施の形態】
本発明に係る携帯端末を用いた監視システムの一実施形態について図１から図６を用いて説明する。
【００１０】
先ず、本実施形態の監視システムの構成を説明する。
【００１１】
図１の符号１は、本実施形態の監視システムを示す、この監視システム１は、図１に示す如く、監視対象たる設備Ｐの状態を監視する監視装置１０と、この監視装置１０から設備Ｐの状態の情報（例えば設備Ｐが正常であるか異常であるかを示す情報のことをいい、以下「状態情報」という。）を取得して当該状態情報に基づき後述するデータファイルを作成するサーバ２０と、このサーバ２０からインターネット３０，サーバ（例えば基地局のサーバ）４０及び携帯電話網５０を介して上記データファイルを取得する携帯電話機等の携帯端末６０とで構成される。尚、本実施形態においては携帯端末６０として携帯電話機を例示するが必ずしもこれに限定するものではない。
【００１２】
先ず、上記監視装置１０とは、例えば設備Ｐの制御装置に接続され、この設備Ｐに故障等の異常が生じた場合又はサーバ２０からの送信要求があった場合に設備Ｐの状態情報をサーバ２０に送信する機器のことである。ここで、その状態情報としては、例えば設備Ｐに既設されている図示しない管理装置や異常警報装置等に送られる信号等の情報を利用することができる。また、この監視装置１０は、その状態情報が設備Ｐの異常を示す情報である場合に、例えば「故障Ｎｏ．１発生中」等の異常の内容を表す異常情報もサーバ２０に送信する。尚、設備Ｐに既設されている上記管理装置等を監視装置１０として使用してもよく、かかる場合はその管理装置等にサーバ２０への状態情報を送信する為の機能を新たに設ける。
【００１３】
また、上記サーバ２０には、予め設定された監視項目（一つであっても複数であってもよい）に該当する設備Ｐの状態情報を所定の周期で上記監視装置１０から収集する（即ち状態情報の送信要求を監視装置１０に対して行う）状態情報収集機能２１ａと、監視装置１０から取得した情報（状態情報及び異常情報）に基づき後述するデータファイルを作成するファイル作成機能２１ｂと、そのデータファイルを携帯端末６０に送信するファイル送信機能２１ｃとが設けられた中央演算処理装置（ＣＰＵ）等を有する図１に示す制御部２１が設けられている。
【００１４】
ここで、本実施形態のサーバ２０で作成されるデータファイルの一例を説明する。例えば監視項目毎に作成されるデータファイルを図２に示す。図２（ａ）に示すデータファイルＤ１は、ある監視項目において異常が無い（正常状態）場合のファイルであり、図２（ｂ）に示すデータファイルＤ２は異常発生時に作成されたファイルである。
【００１５】
ここでは上記状態情報収集機能２１ａが約１５分周期で監視装置１０に対して状態情報の送信要求を行うものとして例示する。かかる場合、正常状態においては監視装置１０から正常である旨の状態情報が送られてくるので、このサーバ２０は、上記ファイル作成機能２１ｂにより、その受信時の日付と時刻の情報をサーバ２０自身のカレンダー／時計部から取得し、正常であることを示すフラグ「０」と共に、図２（ａ）に示す上記監視項目のデータファイルＤ１に格納する。その後も設備Ｐに異常が無ければ、このデータファイルＤ１の作成（更新）が約１５分毎に繰り返される。
【００１６】
また、このサーバ２０は、監視装置１０から異常である旨の状態情報が送られてきた場合も同様に、ファイル作成機能２１ｂにより、受信時の日付情報と時刻情報を取得する。かかる場合は、監視装置１０から異常情報（例えば「故障ＮＯ．１発生中」という情報）も送られてくるので、異常があることを示すフラグ「１」，日付情報及び時刻情報と共にその異常情報をも上記データファイルＤ１に記録した図２（ｂ）に示す如きデータファイルＤ２が作成される。
【００１７】
以上の如くして作成されたデータファイルは、ファイル作成機能２１ｂにより図１に示す記憶装置２２に格納される。
【００１８】
ここで、上記携帯端末６０においては、監視対象の設備Ｐの各監視項目が一つの画面上に纏められて表示される。例えば本実施形態にあっては、図４に示す如く各監視項目をセル（以下「監視項目セル」という。）としてマトリックス状に表した監視画面６２Ａが図１に示す表示部６２に表示される。この監視画面６２Ａは、一画面上で６４（＝８×８）の監視項目の状態が判断できるよう夫々に対応した各監視項目セル６２ａをマトリックス状の監視項目群として並べたものであって、正常状態において表示される画面の一例である。
【００１９】
図４に示す如く、この監視画面６２Ａ上にはカーソル６２ｂが表示されており、利用者が携帯端末６０の操作キー（図示略）を操作することでカーソル６２ｂを移動させることができる。例えば、本実施形態にあってはカーソル６２ｂが監視項目セル６２ａ上へと移動させられると、この監視項目セル６２ａに対応する監視項目の名称６２ｃ（図４では「５１Ｈ（８６−１Ａ）」）が監視画面６２Ａ上の所定の位置に表示されるようになっている。
【００２０】
また、本実施形態にあっては、上述した如き異常情報を有するデータファイルが送られてくると、その該当する監視項目に対応した監視項目セル６２ａ（６２ａ１）の表示色を変化させた図５に示す如き監視画面６２Ｂが表示部６２に表示される。
【００２１】
また、監視画面６２Ａ，６２Ｂには図４，５に示す如く次画面釦６２ｄが用意されており、利用者が所望の監視項目セル６２ａを選択して次画面釦６２ｄを押下すると、該当する監視項目の状態の詳細情報とサーバ２０が状態情報を取得した日時とを表す図６に示す如き詳細監視画面６２Ｃが表示される。この図６に示す詳細監視画面６２Ｃは、ある監視項目において異常が生じている場合の画面の一例である。
【００２２】
本実施形態にあっては、上記の如き各種監視画面を表示する為、携帯端末６０に監視用ソフトウェアが実装されている。この監視用ソフトウェアは、サーバ２０へのデータファイルの送信要求やそのデータファイルに基づいて各種監視画面の作成処理及び表示処理を行う為の種々の指令が備えられたプログラムであって、携帯端末６０に実装することにより、かかる指令に基づいた処理機能を実行する制御部６１を構築している。
【００２３】
ここで、本実施形態にあっては、その制御部６１の処理機能として、設備Ｐにおける各監視項目のデータファイルの送信要求をサーバ２０に対して行う図１に示すファイル収集機能６１ａが設けられている。このファイル収集機能６１ａは、所定の周期で携帯電話網５０，基地局のサーバ４０及びインターネット３０を介してサーバ２０に接続し、このサーバ２０に対して上記送信要求を行うものである。
【００２４】
また、この制御部６１には、サーバ２０からのデータファイルに該当する監視項目の監視項目セル６２ａを特定する為の図１に示す監視項目特定機能６１ｂが設けられている。本実施形態の監視項目特定機能６１ｂは、データファイルのヘッダ情報等の監視項目特定情報と監視項目セル６２ａ毎に付与された識別情報とを比較判定して監視項目セル６２ａの特定を行う。尚、監視項目特定情報に基づき識別情報が判別できるよう、これら各情報の対応関係を予め携帯端末６０側に設定しておく。
【００２５】
また更に、この制御部６１には、データファイル内の設備状態判断情報（ここではフラグ「０」又は「１」を用いる）を読み取り、設備Ｐに異常が生じている場合（即ちフラグ「１」の場合）に、上記監視項目特定機能６１ｂにより特定された監視項目セル６２ａの表示色を所定の異常を示す色（例えば赤色）に設定する図１に示す表示色設定機能６１ｃが設けられている。
【００２６】
更に、この制御部６１には、上述した如き監視画面６２Ａ，６２Ｂ及び詳細監視画面６２Ｃを作成して表示部６２に表示する図１に示す画面作成／表示機能６１ｄが設けられている。
【００２７】
次に、以上の如く構成された本実施形態の監視システム１の動作を説明する。
【００２８】
サーバ２０は、その制御部２１の状態情報収集機能２１ａにより、設備Ｐにおける各監視項目の状態情報の送信要求を監視装置１０に対して所定の周期（例えば約１５分周期）で行い、その状態情報を監視装置１０から収集する。その際、サーバ２０では、ファイル作成機能２１ｂにより、収集した状態情報に基づき各監視項目のデータファイルを作成して記憶装置２２へ格納している。
【００２９】
ここで、設備Ｐが正常に稼動し続けているのであれば、ファイル作成機能２１ｂは、正常に稼動している旨の設備状態判断情報（フラグ「０」）と収集時の日付情報及び時間情報とからなる例えば図２（ａ）に示すデータファイルＤ１を作成する。そこで、正常状態におけるデータファイルのみが記憶装置２２に格納されているときに携帯端末６０からファイル送信要求が為された場合の動作を図３のフローチャートを用いて説明する。
【００３０】
先ず、携帯端末６０の制御部６１は、ファイル収集機能６１ａにより、所定の周期が来るとサーバ２０に対してデータファイルの送信要求を行う（ステップＳＴ１）。これによりサーバ２０の制御部２１は、そのファイル送信機能２１ｃにより、記憶装置２２に格納されているデータファイルＤ１を含む各監視項目のデータファイルを携帯端末６０に送信する（ステップＳＴ２）。ここで、本実施形態においては、データ送信時間や携帯端末６０の処理時間の短縮化を図る為に、ファイル送信機能２１ｃはデータファイルの中の最新のデータのみを送信することにしている。
【００３１】
次に、インターネット３０，基地局のサーバ４０及び携帯電話網５０を経てデータファイルを受信した携帯端末６０は、制御部６１の監視項目特定機能６１ｂにより、受信したデータファイルの監視項目特定情報（例えばヘッダ情報等）に基づいて、そのデータファイルに該当する監視項目セル６２ａを特定する（ステップＳＴ３）。そして、表示色設定機能６１ｃにより、データファイル内の設備状態判断情報（ここではフラグ「０」）を読み取り、上記ステップＳＴ３にて特定された監視項目セル６２ａの表示色を正常状態を示す色に設定する（ステップＳＴ４）。尚、かかる場合に設定される色として何れの色を使用するかは予め決められているものとする。
【００３２】
続いて、この制御部６１は、その画面作成／表示機能６１ｄにより、マトリックス状の監視項目群の各監視項目セル６２ａが上記ステップＳＴ４の設定色で表された図４に示す監視画面６２Ａを表示部６２に表示する（ステップＳＴ５）。
【００３３】
ここで、設備Ｐに異常が生じた場合、サーバ２０においては、異常である旨の状態情報と共に異常情報（例えば「故障Ｎｏ．１発生中」との情報）が監視装置１０から受信される。これによりこのサーバ２０は、ファイル作成機能２１ｂにより、上記データファイルＤ１を更新した，具体的には設備状態判断情報（フラグ「１」）と異常情報と収集時の日付情報及び時間情報とからなるデータをデータファイルＤ１に追加した図２（ｂ）に示すデータファイルＤ２を作成して記憶装置２２へ格納する。
【００３４】
このデータファイルＤ２が最新のものとして記憶装置２２に格納されているときに、上記ステップＳＴ１の如く携帯端末６０からファイル送信要求が為されると、このサーバ２０は、上記ステップＳＴ２と同様にしてデータファイルＤ２を含む各監視項目のデータファイルを携帯端末６０に対して送信する。尚、ここでは、そのデータファイルＤ２以外は正常状態におけるデータファイルとする。
【００３５】
インターネット３０，基地局のサーバ４０及び携帯電話網５０を経てデータファイルを受信した携帯端末６０の制御部６１は、上記ステップＳＴ３，ＳＴ４と同様にして、受信したデータファイルに該当する監視項目セル６２ａを特定し、この監視項目セル６２ａの表示色を設定する。例えばデータファイルＤ２については、図５に示す監視項目セル６２ａ１が特定され、その表示色が所定の異常を示す色（例えば赤色）に設定される。
【００３６】
続いて、その制御部６１は、上記ステップＳＴ５の如く、画面作成／表示機能６１ｄにより上記監視項目セル６２ａ１の表示色のみが異なる色（上記赤色）とされた図５に示す監視画面６２Ｂを表示部６２に表示する。尚、かかる表示と同時に警報音が鳴動するようにしてもよく、また異常を表す監視項目セル６２ａ１を点滅表示してもよい。
【００３７】
その監視画面６２Ｂを見た利用者は、操作キーを用いて上記監視画面６２Ｂ上のカーソル６２ｂを上記監視項目セル６２ａ１に移動させる。これにより制御部６１がその監視項目セル６２ａ１に該当する監視項目の名称６２ｃ（ここでは「５１Ｈ（８６−１Ｈ）」）を監視画面６２Ｂ上の所定の位置に表示するので、利用者は、どの監視項目で異常が生じているのかを知ることができる。
【００３８】
尚、この図５に示す監視画面６２Ｂでは一つの監視項目のみに異常が生じている場合を例示しているが、複数の監視項目で異常が生じているのであれば、その異常状態である全ての監視項目に該当する監視項目セル６２ａの表示色を変化させた監視画面が表示される。これが為、利用者は、異常が生じている全ての監視項目をその監視画面上で即座に知ることができる。また、一つの画面上に複数の監視項目の状態が表示されるので、携帯電話機等の表示画面の小さな携帯端末であっても複数の監視項目の状態を一目で知ることができる。
【００３９】
ここで、監視項目に生じた異常の詳細を知りたいのであれば、利用者は、この監視画面６２Ｂ上で異常を示す表示色で表された監視項目セル６２ａ１を選択する。例えばカーソル６２ｂをその監視項目セル６２ａ１上に移動させて次画面釦６２ｄを押下する。これにより、制御部６１は、その画面作成／表示機能６１ｄにより、受信したデータファイルＤ２内の日付情報，時刻情報及び異常情報を読み込み、図６に示す詳細監視画面６２Ｃを作成して表示部６２に表示する。これが為、利用者は、その詳細監視画面６２Ｃ上の発生日時欄６２ｅ，異常情報欄６２ｆ及び監視項目欄６２ｇを見て、その監視項目において何時どの様な異常が生じたかを知ることができる。尚、詳細監視画面６２Ｃを作成する際に読み込まれるデータファイルは、その受信時に図示しない記憶部に一時的にでも格納しておけばよい。
【００４０】
ここで、複数の監視項目での異常発生が前画面（監視画面）にて示されていたのであれば、上記詳細監視画面６２Ｃ上の前画面釦６２ｈを押下することによりその監視画面に戻ることができる。これが為、利用者は、その監視画面上で上述した如き操作を行うことにより、異常発生を示す他の監視項目の詳細監視画面に移動することができる。尚、上記の如くして再表示された監視画面においては、詳細監視画面を表示したことのある監視項目の監視項目セル６２ａ１の点滅表示を行わないことが望ましく、これにより速やかに他の監視項目の詳細監視画面表示操作を行うことができる。
【００４１】
以上示した如く、本実施形態の監視システムを使用することによって、携帯端末６０に対して自動的に且つ一定周期で設備Ｐの状態が通知される。これが為、利用者は、自分の居場所に捕われることなく設備Ｐの状況を逐次把握でき、その異常に対して迅速且つ的確に対応できる。また、その通知の際には、前述した如く設備Ｐにおける複数の監視項目の状態を一目で把握することができるので、利用者の使い勝手にも優れる。
【００４２】
ここで、上記実施形態の監視システム１において、サーバ２０がデータファイル内の全ての収集データ又は過去数回分までの収集データを携帯端末６０に送信し、携帯端末６０の制御部６１が過去の状態も含めた故障発生履歴として詳細監視画面を表示してもよい。
【００４３】
尚、以上示した実施形態にあっては各監視項目を８×８のマトリックス状の監視項目群として表示しているが、この監視項目群は必ずしもこれに限定するものではない。また、多数の監視項目があり、一つの画面上に全ての監視項目を表示すると煩雑になるので却って設備Ｐの状態が判り難くなる場合は、例えば監視画面をスクロールさせて全画面を見得るようにしてもよく、またその監視画面を複数に分けて表示できるようにしてもよい。
【００４４】
また、利用者の指示に基づいたデータファイルの送信要求をサーバ２０に対して行えるファイル送信要求機能を携帯端末６０の制御部６１に設け、かかる指示によりサーバ２０が各監視項目のデータファイルを携帯端末６０に送信できるように構成してもよい。これにより、利用者は携帯端末６０のデータファイルの収集周期に拘わらず最新の設備Ｐの状態を知ることができるので、より迅速且つ的確な異常への対応が可能となる。
【００４５】
【発明の効果】
本発明に係る監視システムによれば、携帯端末を用いることで場所に捕われない監視ができるだけでなく、設備における複数の監視項目の状態を表す監視項目群が例えばマトリックス形式で一画面上に表示されるので、携帯電話等の画面の小さな携帯端末であっても容易に夫々の監視項目の状態を把握することができる。また、自動的に且つ一定周期で監視項目群の更新が可能なので、その都度設備の最新の状態を知ることができる。
【図面の簡単な説明】
【図１】本発明に係る監視システムの一実施形態を示すブロック図である。
【図２】本実施形態のデータファイルを示す図であって、図２（ａ）は正常状態におけるデータファイルの一例を、図２（ｂ）は異常が発生したときのデータファイルの一例を説明する図である。
【図３】本実施形態の携帯端末が監視画面を表示するまでの流れを説明するフローチャートである。
【図４】本実施形態の携帯端末が表示する正常状態における監視画面の一例を示す図である。
【図５】本実施形態の携帯端末が表示する異常発生時における監視画面の一例を示す図である。
【図６】本実施形態の携帯端末が表示する詳細監視画面の一例を示す図である。
【符号の説明】
１  監視システム
１０  監視装置
２０  サーバ
２１  サーバの制御部
２１ａ  状態情報収集機能
２１ｂ  ファイル作成機能
２１ｃ  ファイル送信機能
２２  記憶装置
３０  インターネット
４０  サーバ
５０  携帯電話網
６０  携帯端末
６１  携帯端末の制御部
６１ａ  ファイル収集機能
６１ｂ  監視項目特定機能
６１ｃ  表示色設定機能
６１ｄ  画面作成／表示機能
６２  表示部
６２Ａ，６２Ｂ  監視画面
６２Ｃ  詳細監視画面
６２ａ，６２ａ１  監視項目セル
６２ｂ  カーソル
６２ｃ  監視項目名称
６２ｄ  次画面釦
６２ｅ  発生日時欄
６２ｆ  異常情報欄
６２ｇ  監視項目欄
６２ｈ  前画面釦
Ｐ  設備
Ｄ１，Ｄ２  データファイル
【図１】
2004287676.tif 000003
【図２】
2004287676.tif 000004
【図３】
2004287676.tif 000005
【図４】
2004287676.tif 000006
【図５】
2004287676.tif 000007
【図６】
2004287676.tif 000008